(57)【要約】【課題】ユーザの使用状況に応じた通信相手及び機能の候補を表示する端末装置及びプログラムを提供する。【解決手段】複数の機能を有する端末装置１００は、他端末装置と通信を行う相手情報を記憶し、自端末装置の状況を示す状況情報を生成し、前記他端末装置を特定する相手情報と、前記状況情報と、その時点で機能していた機能と、を対応付ける履歴情報を記憶する。機能を自動選択する指示に応答して、前記状況情報が示す現在の状況と前記履歴情報が示す過去の状況とのマッチングに基づいて、相手の候補と機能の候補とを求めて表示することを特徴とする。【選択図】      図１
2012235503.tif 000002
【特許請求の範囲】
【請求項１】
他の端末装置と通信を行う通信手段を有した端末装置であって、
通信相手の候補となる複数の登録者毎の登録者情報を記憶する登録者情報記憶手段と、
当該端末装置の状況と、前記登録者毎の状況と、を取得する状況取得手段と、
前記通信手段で通信を行った際の相手の登録者情報とその時の状況の状況情報とを通信履歴情報として記憶する履歴記憶手段と、
前記履歴記憶手段に記憶された複数の通信履歴情報の中に、前記状況取得手段で取得された現在における当該端末装置の状況と各登録者の現在の状況とが一致する状況の通信履歴情報が存在するか否かを判別する判別手段と、
前記判別手段で現在の状況と過去の状況とが一致する通信履歴情報が存在すると判別された際に、その通信履歴情報に含まれる登録者情報の登録者を通信相手の候補として表示する候補表示手段と、
を備えることを特徴とする端末装置。
【請求項２】
前記状況は、過去の通信時における時間帯と相手及び自らの環境状況を含み、
前記判別手段は、現在の時間帯が過去の通信時における時間帯と一致し、且つ各登録者の環境状況と自らの環境状況とが現在と過去とで一致する通信履歴情報が存在するか否かを判別する、
ことを特徴とする請求項１に記載の端末装置。
【請求項３】
前記通信手段は、複数種の通信手段を有し、
前記履歴記憶手段は、相手との通信を行った際の通信手段の種別を示す通信種別情報を前記通信履歴情報に含むように記憶し、
前記候補表示手段は、前記判別手段で一致が判別された前記通信履歴情報に含まれる通信種別情報に基づいて、通信種別を候補表示する、
ことを特徴とする請求項１又は２に記載の端末装置。
【請求項４】
前記判別手段は、前記過去の通信履歴情報の抽出を、過去の通信履歴情報の中で通信頻度の高い通信履歴情報を優先して抽出する、
ことを特徴とする請求項１〜３の何れか１項に記載の端末装置。
【請求項５】
前記判別手段は、前記通信手段で新たな通信を行う際の指示操作に基づいて、前記抽出と判別とを行う、
ことを特徴とする請求項１〜４の何れか１項に記載の端末装置。
【請求項６】
他の端末装置と通信を行う通信手段を有した端末装置のコンピュータを制御するためのプログラムであって、
前記コンピュータを、
通信相手の候補となる複数の登録者毎の登録者情報を記憶する登録者情報記憶手段、
当該端末装置の状況と、前記登録者毎の状況と、を取得する状況取得手段、
前記通信手段で通信を行った際の相手の登録者情報とその時の状況の状況情報とを通信履歴情報として記憶する履歴記憶手段、
前記履歴記憶手段に記憶された複数の通信履歴情報の中に、前記状況取得手段で取得された現在における当該端末装置の状況と各登録者の現在の状況とが一致する状況の通信履歴情報が存在するか否かを判別する判別手段、
前記判別手段で現在の状況と過去の状況とが一致する通信履歴情報が存在すると判別された際に、その通信履歴情報に含まれる登録者情報の登録者を通信相手の候補として表示する候補表示手段、
として機能させるようにしたプログラム。
【発明の詳細な説明】
【技術分野】
【０００１】
本発明は、他の端末装置と通信を行う通信手段を有した端末装置に関する。
【背景技術】
【０００２】
近年、携帯電話機などの通信端末装置は、高機能化が進んでおり、基本機能である通話機能以外の種々の機能を備えている。例えば、電子メール機能や、電話帳機能や、位置認識機能なども付加されている。電話帳機能を利用することにより、通信相手情報である電話番号や電子メールアドレス等を登録することができる。
【０００３】
しかし、多数の登録された通信相手情報の中から所望の情報を探し出すための操作は煩雑であった。そこで、新規の電子メールを作成する場合には、通信相手との通信頻度（通信回数）に基づいて、通信相手先候補を表示させる構成が提案されている（例えば、特許文献１参照。）。
【先行技術文献】
【特許文献】
【０００４】
【特許文献１】特開２００５−１５９８７４号公報
【発明の概要】
【発明が解決しようとする課題】
【０００５】
特許文献１に開示されている構成では、通信相手先の候補が表示されるのは、新規の電子メールを作成する場合に限られていた。このため、所望の通信相手と通話等を行うための操作が煩雑であった。
同様の問題は、通信に限らず、様々な機能を適宜選択して実行する操作についても煩雑であった。
【０００６】
本発明は、現在通信するのに最適な通信相手を確認できる端末装置を提供することを目的とする。
【課題を解決するための手段】
【０００７】
本請求項１に係る発明は、他の端末装置と通信を行う通信手段を有した端末装置であって、
通信相手の候補となる複数の登録者毎の登録者情報を記憶する登録者情報記憶手段と、
当該端末装置の状況と、前記登録者毎の状況と、を取得する状況取得手段と、
前記通信手段で通信を行った際の相手の登録者情報とその時の状況の状況情報とを通信履歴情報として記憶する履歴記憶手段と、
前記履歴記憶手段に記憶された複数の通信履歴情報の中に、前記状況取得手段で取得された現在における当該端末装置の状況と各登録者の現在の状況とが一致する状況の通信履歴情報が存在するか否かを判別する判別手段と、
前記判別手段で現在の状況と過去の状況とが一致する通信履歴情報が存在すると判別された際に、その通信履歴情報に含まれる登録者情報の登録者を通信相手の候補として表示する候補表示手段と、
を備えることを特徴とする。
【発明の効果】
【０００８】
本発明によれば、現在と過去通信時とにおける自らの状況と相手の状況とを考慮して、現在通信するのに最適な通信相手を直ちに確認することができる。
【図面の簡単な説明】
【０００９】
【図１】本発明の実施形態にかかる端末装置の内部構成を示すブロック図である。
【図２】図１に示す制御部によって実現される機能構成を示す機能ブロック図である。
【図３】状況情報格納領域に格納される情報の例を示す図である。
【図４】履歴情報格納領域に格納される情報の例を示す図である。
【図５】履歴情報を格納する方法を説明するためのフローチャートである。
【図６】通信相手及び機能の候補を表示する方法を説明するためのフローチャートである。
【図７】通信相手及び機能の候補が表示された画面表示例を示す図である。
【図８】端末装置の無線通信を示す概略構成図である。
【発明を実施するための形態】
【００１０】
本実施形態にかかる端末装置１００は、例えば、携帯電話機やＰＨＳ（Personal Handy-phone System）などといった移動体通信用の端末装置であり、基本機能である音声通話機能の他に、インターネットなどを介してデータ通信を行い、ウェブサイトなどにアクセスするデータ通信機能、端末装置１００の位置を認識する位置認識機能及びスケジュール機能等の多数の機能を有しているものとする。また、自ら（ユーザ）の端末装置１００と他（通信相手）の端末装置１００は同一の構成とする。
【００１１】
端末装置１００は、図１に示すように、制御部１１０と、通信部１２０と、アンテナ１２１と、操作部１３０と、表示部１４０と、報知部１４１と、記憶部１５０と、などから構成される。
【００１２】
制御部１１０は、ＣＰＵ（Central Processing Unit）、メモリ等から構成され、端末装置１００の各部を制御する。このような制御は、制御部１１０が実行する記憶部１５０に格納された所定のプログラムに基づいて行われる。
【００１３】
通信部１２０は、例えば、所定の無線通信回路などから構成され、アンテナ１２１を介して基地局との無線通信を行うことで、音声通話やデータ通信を行う。また、通信部１２０は、例えば、所定のＧＰＳ（Global Positioning System）用通信回路などを備え、図８に示すように、ＧＰＳ用の人工衛星ＡＳとの通信を行い端末装置１００の位置を示す座標情報などを取得する。
【００１４】
操作部１３０は、例えば、操作ボタンと入力回路などから構成される。操作ボタンは、端末装置１００の外面に配列され、端末装置１００のユーザによって操作される。入力回路は、ユーザのボタン操作に応じた入力信号を生成し、制御部１１０に供給する。また、操作部１３０には、端末装置１００の電源をオン又はオフにするための電源ボタンが設けられている。ユーザは操作部１３０を介して通信相手や任意の機能を選択できる。
【００１５】
表示部１４０は、例えば、液晶表示装置などから構成され、制御部１１０の制御によって画像等を表示出力する。
【００１６】
報知部１４１は、例えば、音声出力装置、振動発生装置又は発光装置などから構成され、制御部１１０の制御によって所定の電子音、振動又は発光等を発生出力する。報知部１４１は、後述する状況情報生成部１１１が生成した他の端末装置１００の状況を示す状況情報が変化した場合に、変化した状況情報をユーザに報知する。
【００１７】
記憶部１５０は、例えば、フラッシュメモリなどの不揮発性メモリやＲＡＭ（Random Access Memory）等の記憶装置から構成され、制御部１１０が実行するプログラムを格納する他、種々のデータを格納する。記憶部１５０は、図１に示すように、プログラム格納領域１５１と、状況情報格納領域１５２と、履歴情報格納領域１５３と、機能格納領域１５４と、相手情報格納領域１５５と、などの記憶領域から構成される。
【００１８】
プログラム格納領域１５１には、制御部１１０が実行するプログラムが格納される。ここで、制御部１１０がプログラム格納領域１５１に格納されているプログラムを実行することで、本実施形態にかかる処理をおこなうための機能構成が実現される。
【００１９】
状況情報格納領域１５２には、図３に示すように、登録名Ｔ１０１と、状態Ｔ１０２と、場所Ｔ１０３と、設定Ｔ１０４と、ステータスＴ１０５と、時刻Ｔ１０６と、を含む現在の状況情報が格納される。
【００２０】
登録名Ｔ１０１は、ユーザが操作部１３０を介して入力した通信相手の名前を示す情報である。ユーザは登録名Ｔ１０１の情報を任意に変更又は削除することができる。
【００２１】
状態Ｔ１０２は、ユーザの端末装置１００及び通信相手の端末装置１００が置かれた場面の状況を示す情報である。例えば、通信情報端末１００の電源のオン・オフを示す情報や、移動中・会議中・講義中といったユーザ及び通信相手の状態を示す場面状況の情報である。図８に示すように、ユーザの端末装置１００は通信網ＣＮに接続することにより、通信相手の端末装置１００の場面状況を取得する。また、通信相手から場面状況の変化があった旨の通知を受けたことにより、該当する状態Ｔ１０２の情報は変化する。
【００２２】
場所Ｔ１０３は、端末装置１００の位置を示す座標情報や、住所を示す情報である。端末装置１００は無線基地局ＢＳを介し通信網ＣＮに接続することにより、座標情報に基づく住所情報を取得する。
【００２３】
設定Ｔ１０４は、端末装置１００が備える各種機能における設定を示す情報である。ユーザは操作部１３０を介して設定Ｔ１０４に登録する情報を設定する。
【００２４】
ステータスＴ１０５は、通信や通話が可能か否か等を示すステータス情報である。状態Ｔ１０２と同様に、通信相手の端末装置１００と通信を行い、ステータス情報を取得することにより、ステータスＴ１０５の情報は変化する。
【００２５】
時刻Ｔ１０６は、時計部（図示せず）が計時した時刻を示す情報である。ユーザの時刻Ｔ１０６については、時計部が計時した現在時刻情報が格納される。また、通信相手の時刻Ｔ１０６については、通信・通話等を行った最終時刻情報が格納される。制御部１１０は、通信等を行った場合に、通信相手の時刻Ｔ１０６の情報を更新する。
【００２６】
履歴情報格納領域１５３には、図４に示すように、優先登録者Ｔ２０１と、使用機能Ｔ２０２と、最終使用時刻Ｔ２０３と、使用回数Ｔ２０４と、を含む履歴情報が格納される。また、図３に示す現在の状況情報が履歴情報格納領域１５３に累積的に格納される。格納された履歴情報は過去の状況情報として利用される。
【００２７】
優先登録者Ｔ２０１は、登録名Ｔ１０１に登録された中で、優先度（通信頻度）が高い通信相手を示す情報である。制御部１１０は、履歴情報格納領域１５３に格納された情報に基づき、通信頻度が高い上位５人程度の通信相手情報を、優先登録者Ｔ２０１に格納する。また、ユーザは、操作部１３０を介して優先登録者Ｔ２０１に通信相手情報を登録又は削除する操作を行うことができる。
【００２８】
使用機能Ｔ２０２は、優先登録者Ｔ２０１に対して使用した機能を示す情報である。優先登録者Ｔ２０１に対してユーザが使用した機能が複数ある場合には、複数の機能が登録される。使用機能Ｔ２０２には、通信相手と通信を行う通話機能や電子メール機能を備える情報だけでなく、優先登録者Ｔ２０１との予定が記入されたスケジュール機能を備えた情報等も格納される。
【００２９】
最終使用時刻Ｔ２０３は、優先登録者Ｔ２０１に対して、ユーザが機能を最後に使用した時刻を示す情報である。最終使用時刻Ｔ２０３には、使用機能Ｔ２０２に対応した時刻情報が格納される。
【００３０】
使用回数Ｔ２０４は、ユーザが機能を使用した累積回数を示す情報である。使用回数Ｔ２０４には、使用機能Ｔ２０２に対応した使用回数情報が格納される。
【００３１】
機能格納領域１５４には、例えば、通話、電子メール、ブラウザ、スケジュール、などの予め端末装置１００に格納されている機能、及びインターネットなどを介してダウンロードした機能が格納される。
【００３２】
相手情報格納領域１５５には、他の端末情報の使用ユーザを特定する情報が格納される。例えば、他の端末装置１００を所有する所有者名情報、電話番号や電子メールアドレスを特定する情報が格納される。ユーザは操作部１３０を介して所定の情報を任意に追加、変更又は削除することができる。
【００３３】
次に、制御部１１０によって実現される機能構成を示す機能ブロック図を図２に示す。制御部１１０は、状況情報生成部１１１と、指示部１１２と、表示制御部１１３と、起動制御部１１４と、履歴情報格納処理部１１５と、などから構成される。
【００３４】
状況情報生成部１１１は、通信部１２０と操作部１３０と記憶部１５０との協働により、端末装置１００の状況情報を生成し、該状況情報を履歴情報格納処理部１１５に伝達する。状況情報生成部１１１は、状況情報が変化する毎に履歴情報格納処理部１１５に状況情報を伝達する。端末装置１００は、図８に示すように、無線基地局ＢＳを介し通信網ＣＮに接続することにより、他の端末装置１００についての状況情報を取得する。状況情報生成部１１１は、人工衛星ＡＳとの通信を行うことにより、自ら及び他の端末装置１００の位置を示す情報を取得する。また、状況情報生成部１１１は、自端末装置１００の状況情報が変化したか否かを判別し、該状況情報が変化した場合には、通信部１２０を制御し該状況情報を他の端末装置１００に無線基地局ＢＳを介して送信する。
【００３５】
指示部１１２は、所定の処理が行われた場合に機能を自動で選択するように指示命令する。例えば、端末装置１００の電源がオン状態となり表示部１４０に初期画面（待ち受け画面）が表示されたこと、ユーザの操作により待ち受け画面が表示する指示がなされたこと、また、所定の時刻になったこと等の処理に基づき、表示制御部１１３に信号を送信する。
【００３６】
表示制御部１１３は、指示部１１２からの信号を受信することにより、また、操作部１３０を介してユーザからの指示を受けることにより、所定の情報を表示部１４０に表示する。表示制御部１１３は、状況情報格納領域１５２に格納された状況情報と履歴情報格納領域１５３に格納された履歴情報とを取得し、両情報とのマッチングに基づいて、通信相手及び機能の候補を表示する。表示された候補中から機能が選択されると、表示制御部１１３は機能を実行するための起動信号を起動制御部１１４に送信する。また、状況情報生成部１１１が生成した他の端末装置１００の状況情報が変化した場合には、変化した状況情報を表示部１４０に表示する。
【００３７】
起動制御部１１４は、操作部１３０と記憶部１５０との協働により、機能格納領域１５４に格納された機能を実行する。起動制御部１１４は、操作部１３０からの入力信号を受信することにより機能を実行し、また、表示制御部１１３からの起動信号を受信することによっても機能を実行する。
【００３８】
履歴情報格納処理部１１５は、状況情報生成部１１１が生成した状況情報を取得し、状況情報格納領域１５２と履歴情報格納領域１５３に格納する。履歴情報格納処理部１１５は、取得したすべての状況情報を履歴情報格納領域１５３に格納する。
【００３９】
次に、図５のフローチャートを参照して、履歴情報を格納する方法について説明する。本フローの処理は、他の端末装置１００との通信・通話を実行することにより開始される。また、登録名Ｔ１０１に登録された通信相手を特定して、スケジュール表に予定を記入した際にも本フローの処理が開始される。本フローの処理により、図３及び図４に示す各情報は、状況情報格納領域１５２及び履歴情報格納領域１５３に格納される。
【００４０】
ステップＳ１００にて、登録名Ｔ１０１の中からユーザが選択した通信相手の情報を優先登録者Ｔ２０１に格納し、ステップＳ１０１へ遷移する。なお、通信相手の情報が優先登録者Ｔ２０１にすでに格納されている場合には、制御部１１０は通信相手の情報を格納しない。
【００４１】
ステップＳ１０１にて、状況情報生成部１１１が生成した現在の状況情報を、状態Ｔ１０２から時刻Ｔ１０６にそれぞれ格納し、ステップＳ１０２へ遷移する。
【００４２】
ステップＳ１０２にて、ユーザが使用した機能に基づく各情報を、使用機能Ｔ２０２、最終使用時刻Ｔ２０３、使用回数Ｔ２０４にそれぞれ格納する。また、使用機能Ｔ２０２に格納された機能情報や状態Ｔ１０２から時刻Ｔ１０６に格納された現在の状況情報を、過去の状況情報として保存し、本フロー処理は終了する（終了）。
【００４３】
以上の処理によって、図３及び図４に示す各情報は所定の格納領域に格納される。所定の格納領域に格納された各情報を用いて、通信相手及び機能の候補を表示することができる。
【００４４】
次に、図６のフローチャートを参照して、通信相手の候補及び機能の候補を表示する方法について説明する。本フローの処理は、表示制御部１１３が指示部１１２からの信号を受信したこと、また、操作部１３０を介してユーザからの指示に応答して、開始される。
【００４５】
ステップＳ２００にて、状況情報格納領域１５２に格納された現在の状況と、履歴情報格納領域１５３に格納された履歴状況に含まれる過去の状況とを取得し、ステップＳ２０１へ遷移する。
【００４６】
ステップＳ２０１にて、現在の状況と過去の状況とが一致するか否かを判定する。制御部１１０は、時計部が計時する現在の時間（帯）と、履歴情報格納領域１５３に格納された時刻Ｔ１０６の過去の時間（帯）と、が一致するか否かを判定する。一致する場合には、制御部１１０は時刻Ｔ１０６の情報に対応する登録名Ｔ１０１に登録された通信相手を特定し、該通信相手と一致する優先登録者Ｔ２０１の情報から通信頻度の高い通信相手を抽出する。さらに、該通信相手に対応する使用機能Ｔ２０２の情報から使用頻度の高い機能についても抽出することができる。
【００４７】
ステップＳ２０１において、状況情報が一致すると判定された場合（ステップＳ２０１；Ｙｅｓ）、ステップＳ２０２へ遷移し、通信相手の候補を表示する。これにより、ユーザは現在の状況に適した通信相手を容易に選択することができる。
一方、ステップＳ２０１において、状況情報が一致しないと判定された場合（ステップＳ２０１；Ｎｏ）、通信相手及び機能の候補を表示することなく、本フロー処理は終了する（終了）。
【００４８】
ステップＳ２０２にて、図７に示すように、優先登録者Ｔ２０１に格納された通信相手の候補を表示する。通信相手が複数いる場合には、通信相手に対応する使用回数Ｔ２０４の合計回数の高い順に通信相手を表示する。表示される通信相手の候補は上位５人程度である。なお、最終使用時刻Ｔ２０３の時刻が、時計部が計時する時刻と近い順に通信相手候補を表示することもできる。
【００４９】
ステップＳ２０３にて、図７に示すように、使用機能Ｔ２０２に格納された機能についての候補を表示部１４０に表示する。機能の候補が複数ある場合には、使用回数Ｔ２０４が多い順番（降順）に機能の順番を並び替え、機能の候補を左側から順に表示する。表示される機能の候補は上位５つ程度である。
【００５０】
ステップＳ２０４にて、ユーザが操作部１３０を介して操作することにより通信相手先を変更した否かを判定する。
【００５１】
ステップＳ２０４において、通信相手を変更したと判定された場合（ステップＳ２０４；Ｙｅｓ）、ステップ２０３に遷移し、新たに選択された通信相手について、機能の候補を表示する。表示された通信相手先である選択候補をユーザが変更する毎に、該通信相手に対応する使用頻度の高い機能が表示される。
一方、ステップＳ２０４において、通信相手を変更していないと判定された場合（ステップＳ２０４；Ｎｏ）、ステップＳ２０５へ遷移する。
【００５２】
ステップＳ２０５にて、ユーザが機能を選択したことに応答して機能が実行され、本フロー処理は終了する（終了）。
【００５３】
以上の処理によって、使用頻度の高い通信相手の候補が表示部１４０に表示され、さらに該通信相手に対して使用頻度が高い機能の候補が表示される。現在の状況に対応する通信相手と該通信相手に使用する機能とをユーザは容易に選択することができる。
【００５４】
なお、本発明は上記実施の形態に限定されず、種々の変形及び応用が可能である。
【００５５】
ステップＳ１００からステップＳ１０２の順序は、任意に変更することができる。
【００５６】
ステップＳ２０１にて、ユーザと通信相手との現在の状況情報について一致するか否かを判定することもできる。制御部１１０は、図３に示す場所Ｔ１０３の示すユーザ情報と通信相手情報との一致を判定することにより、通信相手を抽出することができる。また、制御部１１０は、図３に示す状態Ｔ１０２の情報から、通信不可能な通信相手を判定し、通信相手の候補として表示しないこともできる。
【００５７】
ステップＳ２０２及びステップＳ２０３にて、表示される候補数は、任意に変更することができる。また、候補の表示方法は、縦並び又は横並び等、任意に変更することができる。
【符号の説明】
【００５８】
１００…端末装置、１１０…制御部、１１１…状況情報生成部、１１２…指示部、１１３…表示制御部、１１４…起動制御部、１１５…履歴情報格納処理部、１２０…通信部、１２１…アンテナ、１３０…操作部、１４０…表示部、１４１…報知部、１５０…記憶部、１５１…プログラム格納領域、１５２…状況情報格納領域、１５３…履歴情報格納領域、１５４…機能格納領域、１５５…相手情報格納領域、ＡＳ…人工衛星、ＢＳ…無線基地局、ＣＮ…通信網
【図１】
2012235503.tif 000003
【図２】
2012235503.tif 000004
【図３】
2012235503.tif 000005
【図４】
2012235503.tif 000006
【図５】
2012235503.tif 000007
【図６】
2012235503.tif 000008
【図７】
2012235503.tif 000009
【図８】
2012235503.tif 000010
【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
他の通信端末と通信を行う通信手段を有した端末装置であって、
過去に通信を行った通信相手の通信相手情報とその通信時での相手の状況情報とを各通信毎の履歴情報として記憶する履歴記憶手段と、
前記通信相手の現在の状況を取得する状況取得手段と、
前記履歴記憶手段に記憶された複数の履歴情報の中から、過去に通信を行った際の各通信相手と状況情報が現在における各通信相手の状況に該当する履歴情報を抽出する抽出手段と、
前記抽出手段で該当する複数の履歴情報が抽出された際は、その各履歴情報に含まれる通信相手情報の内で過去の通信頻度の高い通信相手情報を現在状況における通信相手の候補として表示する候補表示手段と、
を備えることを特徴とする端末装置。
【請求項２】
前記状況情報は、通信相手と過去に通信を行った際の時間の時間情報を含み、
前記抽出手段は、過去に通信を行った際の各通信相手の状況情報と時間情報とが、現在における各通信相手の状況と時間とに該当する履歴情報を抽出する、
ことを特徴とする請求項１に記載の端末装置。
【請求項３】
前記通信手段は、複数種の通信手段を有し、
前記履歴情報は、通信相手と通信を行った際の通信手段の種別を示す通信種別情報を含み、
前記候補表示手段は、前記抽出手段で抽出された前記通信履歴情報に含まれる通信種別情報の通信手段を当該通信相手との通信手段の候補として表示する、
ことを特徴とする請求項１又は２に記載の端末装置。
【請求項４】
前記抽出手段は、前記通信手段で新たな通信を行う際の指示操作に基づいて行う、
ことを特徴とする請求項１〜３の何れか１項に記載の端末装置。
【請求項５】
前記状況情報は、通信相手と過去に通信を行った際の相手の環境状況の状況情報を含み、
前記抽出手段は、過去に通信を行った際の各通信相手の環境状況の情報が、現在における通信相手の環境状況に該当する履歴情報を抽出する、
ことを特徴とする請求項１〜４の何れか１項に記載の端末装置。
【請求項６】
他の通信端末と通信を行う通信手段を有した端末装置であって、
通信相手と過去に通信を行った際のその通信時での相手の状況情報を履歴情報として記憶する履歴記憶手段と、
前記通信相手の現在の状況を取得する状況取得手段と、
ユーザによる指示操作が行われた際に、前記履歴記憶手段に記憶された複数の履歴情報に中に、現在における前記通信相手の状況に該当する状況情報を含む履歴情報が存在するか否かを判別する判別手段と、
前記判別手段での判別結果に基づいて、現時点においてその通信相手との通信を促すメニューを表示するか否かを制御する制御手段と、
を備えることを特徴とする端末装置。
【請求項７】
他の通信端末と通信を行う通信手段を有した端末装置であって、
通信相手と過去に通信を行った際のその通信時での相手の状況情報を履歴情報として記憶する履歴記憶手段と、
前記通信相手の現在の状況を取得する状況取得手段と、
ユーザによる指示操作が行われた際に、前記履歴記憶手段に記憶された複数の履歴情報に中に、現在における前記通信相手の状況に該当する状況情報を含む履歴情報が存在するか否かを判別する判別手段と、
前記判別手段で存在すると判別された際は、現時点においてその通信相手と通信を行うことを促すメニューを表示するメニュー表示手段と、
を備えることを特徴とする端末装置。
【請求項８】
前記通信手段は、複数種の通信手段を有し、
前記履歴情報は、通信相手と通信を行った際の通信手段の種別を示す通信種別情報を含み、
前記メニュー表示手段は、前記判別手段で該当すると判別された履歴情報に含まれる通信種別情報を、その通信相手との通信手段としてメニュー表示する、
ことを特徴とする請求項７に記載の端末装置。
【請求項９】
前記メニュー表示手段は、前記判別手段で該当すると判別された履歴情報が複数存在する場合には、使用頻度の高い通信種別情報の通信手段を優先してメニュー表示する、
ことを特徴とする請求項８に記載の端末装置。
【請求項１０】
前記状況情報は、通信相手と過去に通信を行った際の時間の時間情報を含み、
前記判別手段は、現在における通信相手の状況と時間とに該当する状況情報と時間情報とを含む履歴情報が存在するか否かを判別する、
ことを特徴とする請求項６〜９の何れか１項に記載の端末装置。
【請求項１１】
他の通信端末と通信を行う通信手段を有した端末装置のコンピュータを制御するためのプログラムであって、
前記コンピュータを、
過去に通信を行った通信相手の通信相手情報とその通信時での相手の状況情報とを各通信毎の履歴情報として記憶する履歴記憶手段、
前記通信相手の現在の状況を取得する状況取得手段、
前記履歴記憶手段に記憶された複数の履歴情報の中から、過去に通信を行った際の各通信相手と状況情報が現在における各通信相手の状況に該当する履歴情報を抽出する抽出手段、
前記抽出手段で該当する複数の履歴情報が抽出された際は、その各履歴情報に含まれる通信相手情報の内で過去の通信頻度の高い通信相手情報を現在状況における通信相手の候補として表示する候補表示手段、
として機能させるようにしたコンピュータ読み取り可能なプログラム。
【請求項１２】
他の通信端末と通信を行う通信手段を有した端末装置のコンピュータを制御するためのプログラムであって、
前記コンピュータを、
通信相手と過去に通信を行った際のその通信時での相手の状況情報を履歴情報として記憶する履歴記憶手段、
前記通信相手の現在の状況を取得する状況取得手段、
ユーザによる指示操作が行われた際に、前記履歴記憶手段に記憶された複数の履歴情報に中に、現在における前記通信相手の状況に該当する状況情報を含む履歴情報が存在するか否かを判別する判別手段、
前記判別手段での判別結果に基づいて、現時点においてその通信相手との通信を促すメニューを表示するか否かを制御する制御手段、
として機能させるようにしたコンピュータ読み取り可能なプログラム。
【請求項１３】
他の通信端末と通信を行う通信手段を有した端末装置のコンピュータを制御するためのプログラムであって、
前記コンピュータを、
通信相手と過去に通信を行った際のその通信時での相手の状況情報を履歴情報として記憶する履歴記憶手段、
前記通信相手の現在の状況を取得する状況取得手段、
ユーザによる指示操作が行われた際に、前記履歴記憶手段に記憶された複数の履歴情報に中に、現在における前記通信相手の状況に該当する状況情報を含む履歴情報が存在するか否かを判別する判別手段、
前記判別手段で存在すると判別された際は、現時点においてその通信相手と通信を行うことを促すメニューを表示するメニュー表示手段、
として機能させるようにしたコンピュータ読み取り可能なプログラム。
【手続補正２】
【補正対象書類名】明細書
【補正対象項目名】０００６
【補正方法】変更
【補正の内容】
【０００６】
本発明は、現在通信に適したタイミングか否かを確認できる端末装置を提供することを目的とする。  
【手続補正３】
【補正対象書類名】明細書
【補正対象項目名】０００７
【補正方法】変更
【補正の内容】
【０００７】
請求項１の発明は、他の通信端末と通信を行う通信手段を有した端末装置であって、過去に通信を行った通信相手の通信相手情報とその通信時での相手の状況情報とを各通信毎の履歴情報として記憶する履歴記憶手段と、前記通信相手の現在の状況を取得する状況取得手段と、前記履歴記憶手段に記憶された複数の履歴情報の中から、過去に通信を行った際の各通信相手と状況情報が現在における各通信相手の状況に該当する履歴情報を抽出する抽出手段と、前記抽出手段で該当する複数の履歴情報が抽出された際は、その各履歴情報に含まれる通信相手情報の内で過去の通信頻度の高い通信相手情報を現在状況における通信相手の候補として表示する候補表示手段と、を備えることを特徴とする。
請求項６の発明は、他の通信端末と通信を行う通信手段を有した端末装置であって、通信相手と過去に通信を行った際のその通信時での相手の状況情報を履歴情報として記憶する履歴記憶手段と、前記通信相手の現在の状況を取得する状況取得手段と、ユーザによる指示操作が行われた際に、前記履歴記憶手段に記憶された複数の履歴情報に中に、現在における前記通信相手の状況に該当する状況情報を含む履歴情報が存在するか否かを判別する判別手段と、前記判別手段での判別結果に基づいて、現時点においてその通信相手との通信を促すメニューを表示するか否かを制御する制御手段と、を備えることを特徴とする。
請求項７の発明は、他の通信端末と通信を行う通信手段を有した端末装置であって、通信相手と過去に通信を行った際のその通信時での相手の状況情報を履歴情報として記憶する履歴記憶手段と、前記通信相手の現在の状況を取得する状況取得手段と、ユーザによる指示操作が行われた際に、前記履歴記憶手段に記憶された複数の履歴情報に中に、現在における前記通信相手の状況に該当する状況情報を含む履歴情報が存在するか否かを判別する判別手段と、前記判別手段で存在すると判別された際は、現時点においてその通信相手と通信を行うことを促すメニューを表示するメニュー表示手段と、を備えることを特徴とする。
【手続補正４】
【補正対象書類名】明細書
【補正対象項目名】０００８
【補正方法】変更
【補正の内容】
【０００８】
本発明によれば、現在の通信相手の状況と過去通信時における状況を考慮して、現在通信に適したタイミングか否かを確認することができる。